(57)【要約】      （修正有）【課題】ファッション性を考慮して、車椅子や車椅子に装着する座位保持具に付いているベルトを外側から見せないようにすることで、利用者が見た目を気にせずおしゃれを楽しめると共に、周りからの視線を感じることなく、積極的に外出がしたくなる車椅子利用者用上着を提供する。【解決手段】少なくとも前身頃１、後身頃２から構成される車椅子利用者用上着に於いて、前身頃１と後身頃２は袖ぐりの脇の下辺りから下側を縫合せず、前身頃１と後身頃２が脇の部分で分離している。また、前身頃１の内側に、腰部までの長さの左右の前身頃のみで構成された、袖部の無いベスト様の内着３を備え、袖ぐりの脇の下辺りから下側は後身頃２と内着３のみが縫合され、前身頃１は分離している。【選択図】図１
2010059584.tif 000002
【特許請求の範囲】
【請求項１】
少なくとも前身頃、後身頃から構成される車椅子利用者用上着に於いて、
前記前身頃と前記後身頃は袖ぐりの脇の下辺りから下側を縫合せず、前記前身頃と前記後身頃が脇の部分で分離していることを特徴とする車椅子利用者用上着。
【請求項２】
前記前身頃の内側に、腰部までの長さの左右の前身頃のみで構成された、袖部の無いベスト様の内着を備え、袖ぐりの脇の下辺りから下側は前記後身頃と内着のみが縫合され、前記前身頃は分離していることを特徴とする請求項１記載の車椅子利用者用上着。
【請求項３】
前記内着の少なくとも袖ぐり脇の下から腰部までの後身頃側を、前記後身頃と同色の生地で構成したことを特徴とする請求項２記載の車椅子利用者用上着。
【発明の詳細な説明】
【技術分野】
【０００１】
本発明は、車椅子利用者が着用するための、車椅子利用者用の上着に関するもので、防寒コート、レインコート、ジャケット等に適応可能なものである。
【背景技術】
【０００２】
一般的に、車椅子利用者は生活全般において介助を要することが多く、ともすれば介助する側の利便性が優先され、介助される側の気持ちがなおざりにされる傾向がある。車椅子利用者用上着としてのコートというと、車椅子と車椅子利用者全体を被うシートタイプのコート（例えば、特許文献１参照）か、車椅子に座ったままで着脱する被服（例えば、特許文献２参照）があったが、どちらかというと介助者側の利便性に重点が置かれており、車椅子利用者の服装として、おしゃれを楽しむというには程遠いものであった。
【０００３】
一方、最近車椅子利用者の障害程度は重度化してきている。例えば、体幹が不安定な方は、車椅子や車椅子に装着する座位保持具に付いている胸ベルトや腰ベルトを使い身体を安定させるようにしている。
【特許文献１】実用新案登録第３００３６４７号公報
【特許文献２】特開２００４−２７３９１号公報
【発明の開示】
【発明が解決しようとする課題】
【０００４】
特許文献１に示すような、車椅子と車椅子利用者全体を被うシートタイプのコートは、衣服というよりはカバーするというイメージが強かった。また、特許文献２に示すような車椅子に座ったままで着脱する被服も、着脱と構造の簡単さということに視点が置かれおり、車椅子利用者がおしゃれをするという点を考慮したものではなかった。
【０００５】
また、体幹が不安定な方が車椅子を利用する場合にあっては、図７に示すように車椅子や車椅子に装着する座位保持具に付いている身体を安定させる為のベルト（胸ベルト６、腰ベルト７）を、上着１００の上側から胸部や腰部に装着するようにしているため、ベルトの装着状態が外部から見えてしまい、車椅子利用者が服装にどんなに配慮しても、結局はおしゃれ感を大幅に損うものであり、また、周りから他人の視線を感じるため、外出することに対し積極的ではなかった。故に今まで無かった、ベルト付きの車椅子や座位保持具を利用しても目立たない被服の開発が望まれていた。
【０００６】
本発明は、このような課題を解決しようとするものであり、特にファッション性を考慮して、車椅子や車椅子に装着する座位保持具に付いているベルトを外側から見せないようにすることで、利用者が見た目を気にせずおしゃれを楽しめると共に、周りからの視線を感じることなく、積極的に外出がしたくなる車椅子利用者用上着を提供することを目的とする。
【課題を解決するための手段】
【０００７】
本発明は前記目的を達成するため、少なくとも前身頃、後身頃から構成される車椅子利用者用上着に於いて、前身頃と後身頃は袖ぐりの脇の下辺りから下側を縫合せず、前身頃と後身頃が脇の部分で分離していることを特徴とする。
【０００８】
また、本発明は、前身頃の内側に、腰部までの長さの左右の前身頃のみで構成された、袖部の無いベスト様の内着を備え、袖ぐりの脇の下辺りから下側は後身頃と内着のみが縫合され、前身頃は分離していることを特徴とする。
【０００９】
また、本発明は、内着の少なくとも袖ぐり脇の下から腰部までの後身頃側を、後身頃と同色の生地で構成したことを特徴とする。
【発明の効果】
【００１０】
本発明は、上述の如く構成したことにより、体幹の不安定な車椅子利用者が、車椅子や車椅子に装着する座位保持具に付いているベルトで身体を安定させなければならない状態でも、前身頃の内側でベルトを装着するので、ベルトは前身頃で隠れ外部から見えなくなり、他人の視線を気にすることがなくなる。また、コートやジャケットなどを含む上着は、ベルトで隠れることなく本来のデザインで着られるので、車椅子利用者が存分におしゃれを楽しむことができる。結果、外出に対し積極的になるものである。
【００１１】
また、前身頃のみで構成され、後身頃と縫合される内着を備えた場合は、内着の上側からベルトを装着すると、内着は前身頃と後身頃とに縫いつけられていることから前身頃が動き過ぎることもなく納まりが良い。また、前身頃と内着の２重構造になることからベストを着た時の様に温かく、更に保温性のある素材を使用することにより、車椅子利用者の冬場等の外出時における寒さ対策に有効である。
【００１２】
また、内着の袖ぐり脇の下から腰部までの後身頃側は、後身頃と同色の生地にすることで、内着が後身頃と前身頃の脇の間から見えたとしても目立たない。また、内着の同色の生地を使うところ以外は、色や生地を変えて構成させ、前身頃の前を開いて見せたり、胸元を開いて少しのぞかせるなどして、更に車椅子利用者のおしゃれを楽しむポイントを増やすことができる。
【発明を実施するための最良の形態】
【００１３】
以下、本発明の車椅子利用者用上着について添付図面に基づいて詳細に説明する。本発明の車椅子利用者用上着は、前身頃１、後身頃２、内着３、長袖部４から構成される。
【００１４】
前身頃１は、図１に示すように、右前身頃１１と左前身頃１２から構成され、図５，図６に示すように車椅子利用者である着用者１４の肩から腰部より下の足までの任意の位置を、被覆可能な長さで形成される。また、前身頃１は、図３，図４，図５に示すように後身頃２、内着３と肩から胸ベルト６辺りの脇部１０まで縫合されているが、脇部１０から下側は後身頃２と内着３のみが縫合され、前身頃１は分離されている。また、前身頃１の腰ベルト７の辺りに設けられる止着タブ１７は、図３，図４，図６に示すように、着用者１４が胸ベルト６腰ベルト７を装着した後に、前身頃がずれて動いたり、翻ったり、中の内着が見え過ぎたりするのを防ぐために設けられ、後身頃のボタン２７に止着して使用する。なお、止着タブ１７及びボタン２７の代わりに面ファスナーを使用しても良い。
【００１５】
前身頃裾９は、図１，図２に示すように着用者１４の腿部から脛部までの両裾脇部分９で、腰部辺りの幅より狭い幅になるよう丸くカットされているため、コートの裾部が車椅子のタイヤやハンドリムに絡まることや、タイヤとの接触による汚れを防止できる。また、図２に示すように、右前身頃裾中心部２３と左前身頃裾中心部２４を斜めに張り出させ裾中心部分の左右の合わせ部分を広くすることよって、座った時の裾の開きを防止できる。したがって、着用者１４が足を開いて座っても、裾の前が開く事がないので温かくゆったりと座ることができ、着心地が良い。
【００１６】
また、図３，図５に示すように前身頃１の袖ぐり２５の脇の下部分に、マチ１９を形成し袖ぐり２５の脇の下部分に開口を持たせている。また、図１，図４，図６に示すように内着の袖ぐり１６の上部の肩の前身頃１と後身頃２にかけて襞１８を形成し、腕の動きに対しての身頃の広がりを持たせている。実験した結果、幅５ｃｍ長さ１６ｃｍのマチと、幅１ｃｍで前身頃側の長さ２２ｃｍ後身頃の長さ２５ｃｍの襞を形成させることにより、見頃と袖の接続部に適宜な広がりができ、そのため腕の上げ下げが容易になり、着用者のスムースな着脱が可能となることが判明した。また、上体を前屈したり、後ろへ反らした時の窮屈さも防止できることが判明した。
【００１７】
後身頃２は、図２に示すように、肩から腰部辺りまでを被覆可能な長さで形成される。したがって、着用者１４は、尻部を持ち上げることなく、車椅子に座ったままの姿勢で上着を着脱できる。また、尻部と車椅子の座部上面に上着が挟まることがないため、引っ張られる感じもなく、動き易いものである。
【００１８】
図２，図４に示すように上着の後身頃２の内側の腰部分と、右前身頃１１と左前身頃１２の内側の膝部分の身体に接する側の面に、携帯用懐炉を入れる腰部ポケット２１、脛部ポケット２０を設け、着用者の下半身の冷えを防止させることが可能である。また、このポケットは貴重品入れや小物入れとして活用させることが可能である。
【００１９】
内着３は、図１，図３，図４，図５，図６に示すように前身頃１の内側に備えられ、腰部までの長さの左右の前身頃のみで構成されるベスト様のもので、脱ぎ着が楽なように前開きとし、前側はボタンやファスナー等で止着できるようにしている。また、内着の後身頃側端部２２は、前身頃１と後身頃２が分離しているため脇から見えるので、図４に示すように内着３の肩８から内着の裾１３まで、端から１５ｃｍ位の部分を同色の生地で構成させ目立たなくしている。なお、前身頃１と後身頃２は通常同色の生地で構成されることから、殆ど目立たないものである。また、内着の後身頃側端部２２以外の見頃部分の色や生地を変えて、おしゃれを楽しむこともできる。また、内着は前身頃、後身頃に、肩、袖ぐりなどで縫いつけられていることから、内着の上側からベルトを装着した際に、前身頃が動き過ぎることもなく納まりが良い。また、前身頃と内着の２重構造になることからベストを着た時の様に温かく、更に保温性のある素材を使用することにより、車椅子利用者の冬場等の外出時における寒さ対策に有効である。なお、内着は、デザインの仕様や、季節の着心地を考慮し、必要に応じて備えれば良いものである。
【００２０】
また、この前身頃１と後身頃２との袖ぐり２５の両側には、図１，図２，図３，図５，図６に示すように長袖部４が接続されている。長袖部４の、袖ぐりと肘の間の任意の位置の外周と、長袖部４の外周に取り付けられる円筒状の外袖部２８の上端外周は、ファスナー１５で着脱自在に取り付けられる。したがって外袖部２８が取り付けられた状態では、袖は外側の外袖部２８と長袖部４の内側の袖の二重構造となっているため、外出先で着用者１４が車椅子を操作していた最中にタイヤやハンドリムに接触して外袖部２８が汚れても、ファスナーから外袖部２８を取り外すことができ、取り外しても中に長袖部４の内側の袖が残るため、不快感もなくそのまま着用することができる。また、外出先から帰ってくるまでの間、外見上はほとんど変わりがなく違和感がないため他人の目を意識しなくて良い。
【００２１】
また、外袖部２８を複数枚用意することで外出時の交換は勿論、洗濯をしたり、損傷した場合の交換も可能である。更に、色や模様の異なるものを複数用意して、おしゃれとして好きなものをその日の気分などで変えることもできる。また、長袖部４、外袖部２８は、デザインや季節の着心地を考慮し、必要に応じて設ければ良いものである。
【００２２】
図６は実際に着用者１４が本発明の車椅子利用者用上着を着用して車椅子５に乗っている状態を、構成が理解し易いように左側の前身頃だけを取り除いた説明図である。例えば、介護者は、着用者１４を車椅子５に乗せると、車椅子５に付いている身体を安定させる為の胸ベルト６と腰ベルト７を、車椅子利用者用上着の脇部１０の下側の前身頃１と後身頃２の分離している箇所から、前身頃１の内側に通し、内着３の上側で、左右のベルトの先端に備えてある面ファスナー等を使い装着することになる。その後、左右の前身頃１１，１２を、前方側でボタン等により留めて閉じることで、胸ベルト６と腰ベルト７は前身頃１により外部から隠れて見えないようになる。また、前身頃１を、止着タブ１７とボタン２７や面ファスナーなどで後身頃２に腰ベルト７の辺りで止着したり、内着３の後身頃側端部２２を後身頃と同色の生地で構成させることで、脇側から見ても目立たないようになる。
【産業上の利用可能性】
【００２３】
本発明の車椅子利用者用上着は、防寒コート、レインコート、ジャケット等に適応可能なものである。
【図面の簡単な説明】
【００２４】
【図１】本発明の上着の正面図である。
【図２】本発明の上着の背面図である。
【図３】本発明の上着の側面図である。
【図４】本発明の上着の前身頃を開いた状態の正面図である。
【図５】車椅子利用者が本発明の上着を着用した状態の側面図である。
【図６】左側の前身頃だけを取り除いた説明図である。
【図７】車椅子利用者が普通の上着を着用した状態の側面図である。
【符号の説明】
【００２５】
１  前身頃
２  後身頃
３  内着
４  長袖部
５  車椅子
６  胸ベルト
７  腰ベルト
８  内着肩
９  前身頃裾
１０  脇部
１１  右前身頃
１２  左前身頃  
１３  内着裾
１４  着用者
１５  ファスナー
１６  内着袖ぐり
１７  止着タブ
１８  襞
１９  マチ
２０  脛部ポケット
２１  腰部ポケット
２２  内着端部
２３  右前身頃裾中心部
２４  左前身頃裾中心部
２５  袖ぐり
２７  ボタン
２８  外袖部
【図１】
2010059584.tif 000003
【図２】
2010059584.tif 000004
【図３】
2010059584.tif 000005
【図４】
2010059584.tif 000006
【図５】
2010059584.tif 000007
【図６】
2010059584.tif 000008
【図７】
2010059584.tif 000009